(57)【特許請求の範囲】
【請求項１】
遊技機に設けられる遊技機用表示装置であって、
リール部と、
前記リール部の回転軸を中心とする円の円周に沿った方向に配列された複数の単位表示部を備え、
複数の前記単位表示部のそれぞれは、
複数の図柄を有するベルト部と、
前記ベルト部の軌道の一部を前記リール部の前記回転軸を中心とする円の円周に沿って配置し、前記ベルト部が巻き掛けられた複数のローラと、を具備し、
前記リール部は、複数の前記単位表示部の複数の前記ローラの１つを駆動し、前記ベルト部を前記リール部の回転方向と同一の第１方向及び前記リール部の回転方向と逆の第２方向に回転駆動するベルト駆動部とを備えること、
を特徴とする遊技機用表示装置。
【請求項２】
前記ベルト駆動部の一部は、前記ベルト部の軌道の外側であって前記リール部の中心側の領域に配置されていること、
を特徴とする請求項１に記載の遊技機用表示装置。
【請求項３】
前記ベルト部の軌道のうち外周側の送り方向は、前記リール部の前記回転軸を中心とする円の円周に沿った方向であること、
を特徴とする請求項１又は請求項２に記載の遊技機用表示装置。
【請求項４】
前記ベルト駆動部は、
駆動力を発生する駆動源と、
前記駆動源の駆動力を複数の前記ローラの１つに伝達する駆動力伝達部を備え、前記複数の単位表示部は、前記駆動力伝達部の一部を兼用すること、
を特徴とする請求項１乃至請求項３のいずれかに記載の遊技機用表示装置。
【請求項５】
前記駆動力伝達部は、前記駆動源の駆動力を複数の前記単位表示部の複数の前記ローラの１つに選択的に伝達する複数のアクチュエータを具備することを特徴とする請求項４に記載の遊技機用表示装置。
【請求項６】
前記単位表示部は、それぞれ独立した前記ベルト駆動部を備えること、
を特徴とする請求項３に記載の遊技機用表示装置。
【請求項７】
前記回転軸に平行な方向に配列された複数の前記リール部を備えること、
を特徴とする請求項１乃至請求項６のいずれかに記載の遊技機用表示装置。
【請求項８】
遊技機に設けられる遊技機用表示装置であって、
リール部と、
前記リール部の回転軸を中心とする円の円周に沿った方向に配列された複数の単位表示部を備え、
複数の前記単位表示部のそれぞれは、
複数の図柄を有するベルト部と、
前記ベルト部の軌道の一部を前記リール部の前記回転軸を中心とする円の円周に沿って配置し、前記ベルト部が巻き掛けられた複数のローラと、を具備し、
前記リール部は、
前記リール部の回転軸を中心とする円の円周に沿った方向に駆動力を発生する駆動源と、
前記駆動源の駆動力を複数の前記単位表示部の複数の前記ローラの１つに選択的に伝達する駆動力伝達部と、
を特徴とする遊技機用表示装置。
【発明の詳細な説明】
【技術分野】
【０００１】
本発明は、遊技機に設けられる遊技機用表示装置に関するものである。
【背景技術】
【０００２】
従来、回転したリールを停止させて、リールに設けられた図柄を揃えるスロットマシンがあった（例えば特許文献１）。
しかし、従来のスロットマシンは、リールの個々の図柄自体が決まっている。このため、従来のスロットマシンは、例えばリール停止後の遊技の発展性が乏しかった。
【先行技術文献】
【特許文献】
【０００３】
【特許文献１】特開２００５−０４６２５５号公報
【発明の概要】
【発明が解決しようとする課題】
【０００４】
本発明の課題は、遊技の発展性を向上できる遊技機用表示装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、遊技機１に設けられる遊技機用表示装置（１０，２１０，３１０，４１０）であって、リール部（２０，２２０，３２０，４３０）と、前記リール部の回転軸を中心とする円の円周に沿った方向に複数配列された単位表示部（６０）を備え、各単位表示部は、複数の図柄を有するベルト部（６５）と、前記ベルト部の軌道の一部を前記リール部の回転軸を中心とする円の円周に沿った方向に配置し、前記ベルト部が巻き掛けられたローラ部（７１，７２，７３）と、前記ベルト部を回転駆動するベルト駆動部（４０，４１，５１ａ，５１ｂ，７３ｄ，２４０，２４１，３４５，３４６等）とを備えること、を特徴とする遊技機用表示装置である。
・第２の発明は、前記ベルト駆動部の一部（４０，４１，５１ａ，５１ｂ，２４０，２４１，３４５，３４６等）は、前記ベルト部（６５）の軌道の外側であって前記リール部（２０，２２０，３２０，４３０）の中心側の領域（Ａ２１）に配置されていること、を特徴とする第１の発明の遊技機用表示装置である。
・第３の発明は、前記ベルト部（６５）の軌道のうち外周側の送り方向は、前記リール部（２０，２２０，３２０，４３０）の回転軸（２０ｃ）を中心とする円の円周に沿った方向であること、を特徴とする第１又は第２の発明の遊技機用表示装置である。
・第４の発明は、前記ベルト駆動部は、駆動力を発生する駆動源（４０）と、前記駆動源の駆動力を前記ベルト部に伝達する駆動力伝達部（４１，５１ａ，５１ｂ，３４５，３４６等）を備え、前記複数の単位表示部は、前記駆動力伝達部の一部（４１，５１ａ，５１ｂ）を兼用すること、を特徴とする第１乃至第３のいずれかの発明の遊技機用表示装置である。
・第５の発明は、各単位表示部は、それぞれ独立した前記ベルト駆動部（２４０，２４１，３４５，３４６等）を備えること、を特徴とする第１乃至第４のいずれかの発明の遊技機用表示装置である。
・第６の発明は、回転軸（２０ｃ）に平行な方向に配列された複数の前記リール部（２０，２２０，３２０，４３０）を備えること、を特徴とする第１乃至第５のいずれかの発明の遊技機用表示装置である。
【発明の効果】
【０００７】
本発明によれば、遊技の発展性を向上できる遊技機用表示装置を提供できる。
【図面の簡単な説明】
【０００８】
【図１】第１実施形態の表示装置１０を備える遊技機１の斜視図である。
【図２】第１実施形態の表示装置１０の断面図（図３の２−２断面図）である。
【図３】第１実施形態の表示装置１０の縦面図（図２の３−３断面に相当する図）である。
【図４】第１実施形態の表示装置１０の横面図（図２の４−４断面図に相当する図）である。
【図５】第１実施形態の手前側Ｙ１に配置された単位表示部６０（図２に示す単位表示部６０Ｆ）を拡大して説明する図である。
【図６】第１実施形態の主モータ１２の回転駆動にともなう動作を説明する図である。
【図７】第１実施形態のベルト駆動モータ４０の回転駆動にともなう動作を説明する図である。
【図８】第１実施形態の表示例を示す図である。
【図９】第２実施形態の表示装置２１０の断面図（図２に相当する図）である。
【図１０】第３実施形態の表示装置３１０の断面図（図２に相当する図）である。
【図１１】第４実施形態の表示装置４１０を示す図である。
【発明を実施するための形態】
【０００９】
（実施形態）
以下、図面等を参照して、本発明の実施形態について説明する。
（第１実施形態）
図１は、第１実施形態の表示装置１０を備える遊技機１の斜視図である。
図１は、遊技機１の窓部２近傍を示す。
実施形態、図面では、説明と理解を容易にするために、ＸＹＺ直交座標系を設けた。図１に示すように、この座標系は、遊技機１を正面から見た場合を基準に、左右方向Ｘ（左側Ｘ１，右側Ｘ２）、奥行方向Ｙ（手前側Ｙ１，奥側Ｙ２）、鉛直方向Ｚ（下側Ｚ１，上側Ｚ２）を表す。なお、各構成は、明確に図示するために、適宜大きさを誇張する。
【００１０】
遊技機１は、例えば、スロットマシン、パチンコ遊技機等である。
遊技機１は、３つの表示装置１０（遊技機用表示装置）を備える。
３つの表示装置１０は、左右方向Ｘに並べて配置されている。遊技機１の窓部２からは、３つの表示装置１０の９つの図柄を観察できる。
３つの表示装置１０の基本構成は、同様である。
【００１１】
図１から図５を参照して、表示装置１０の１つについて、詳細に説明する。
図２は、第１実施形態の表示装置１０の断面図（図３の２−２断面図）である。
図３は、第１実施形態の表示装置１０の縦面図（図２の３−３断面に相当する図）である。
図４は、第１実施形態の表示装置１０の横面図（図２の４−４断面図に相当する図）である。
図５は、第１実施形態の手前側Ｙ１に配置された単位表示部６０（図２に示す単位表示部６０Ｆ）を拡大して説明する図である。
図５（Ａ）は、単位表示部６０（図２に示す単位表示部６０Ｆ）を手前側Ｙ１から見た図である。
図５（Ｂ）は、図５（Ａ）のＢ−Ｂ断面図である。
図５（Ｃ）は、ベルト部６５の展開図である。
【００１２】
図１から図４に示すように、表示装置１０は、ケース１１、主モータ１２（リール回転モータ）、スリップリング１５、リール部２０、記憶部８１、制御部８２を備える。
ケース１１は、箱状の部材である。ケース１１は、手前側Ｙ１に開口１１ａを有する。開口１１ａからは、鉛直方向Ｚに３つ配列された図柄を観察できる（図１参照）。
【００１３】
主モータ１２は、リール部２０を一体で回転駆動するモータである。主モータ１２は、ケース１１の左側壁の内面に固定されている。主モータ１２の回転軸１２ｃは、左右方向Ｘに平行である。
スリップリング１５は、固定側１５ｂがケース１１に取り付けられ、回転側１５ａがリール部２０の右円盤２２（図３参照）に取り付けられている。このスリップリング１５の回転側１５ａが主モータ１２の回転軸１２ｃと一体的に回転することにより、回転するリール部２０とケース１１との間を電気的に接続することができる。
【００１４】
リール部２０は、ケース１１内部に回転可能に収容されている。リール部２０の外形は、円柱状である。リール部２０の回転位置は、例えば、ロータリエンコーダ等の検出部によって検出できる。
【００１５】
リール部２０は、左円盤２１、右円盤２２、ベース３０、ベルト駆動モータ４０（駆動源）、ウォームギア４１、内外周歯車５０、基準突起５３、基準位置検出部８０、８つの単位表示部６０を備える。
【００１６】
２つの円盤２１，２２は、ケース１１内部の左右に、それぞれ設けられている。円盤２１，２２は、盤面が左右方向Ｘを向くように配置される。
円盤２１，２２は、後述する単位表示部６０の回転軸７１ａ，７２ａ，７３ａ（図５参照）によって連結され、一体の構造になる。但し、円盤２１，２２の連結は、これらの回転軸による形態に限定されず、他の連結部材を設けてもよい。
円盤２１，２２の間のスペースには、リール部２０の主要な構成（ベース３０、内外周歯車５０、単位表示部６０等）が配置されている。
左円盤２１には、主モータ１２を逃げる孔２１ａが設けられている。
【００１７】
ベース３０は、円盤状の部材であり、盤面が左右方向Ｘを向くように配置される。ベース３０の左面の中心には、主モータ１２の回転軸１２ｃが固定されている。ベース３０の右面には、ベルト駆動モータ４０、ウォームギア４１等が固定されている。
ベース３０は、軸体３１、ケーブル通し穴３２を備える。
軸体３１は、円柱状の部材である。軸体３１は、ベース３０の中心に配置されている。軸体３１は、ベース３０の右面から右側Ｘ２（主モータ１２とは反対側）に向けて、突出している。軸体３１の中心軸は、主モータ１２の回転軸１２ｃと同軸である。
軸体３１は、内外周歯車５０を回転可能に支持する。軸体３１の右端は、右円盤２２が固定されている。
ケーブル通し穴３２は、電気ケーブル９０を通すための穴である。ケーブル通し穴３２の詳細は、後述する。
【００１８】
ベルト駆動モータ４０、ウォームギア４１、内外周歯車５０と、ローラ歯車７３ｄ（図２参照）とは、ベルト部６５（図２参照）を駆動する駆動部である。
ベルト駆動モータ４０は、ベルト部６５を駆動する駆動力の駆動源である。ベルト駆動モータ４０は、例えば、ステッピングモータ等である。
ウォームギア４１、内外周歯車５０と、ローラ歯車７３ｄ（図２参照）とは、ベルト駆動モータ４０の駆動力をベルト部６５に伝達する駆動力伝達部である。
ウォームギア４１のウォーム４１ａは、ベルト駆動モータ４０の回転軸に設けられている。ウォームギア４１のホイール（ウォームホイール）４１ｂは、ウォーム４１ａの回転を、左右方向Ｘの回転軸回りに変換する。
なお、実施形態では簡略して、ホイール４１ｂのはすば歯車が内外周歯車５０（後述する）に接続する例を説明するが、実際には、ホイール４１ｂをはすば歯車及び平歯車からなる２段ギアにして、平歯車を内外周歯車５０に接続する。
【００１９】
内外周歯車５０は、ホイール４１ｂの回転を、単位表示部６０のローラ歯車７３ｄに伝達する歯車である。内外周歯車５０の本体は、円盤状の部材であり、盤面が左右方向Ｘを向くように配置される。
内外周歯車５０は、筒部５１、歯車部５２、基準突起５３を備える。
内外周歯車５０の本体は、ベース３０に対向配置された円盤状の部材である。
筒部５１は、本体の左面の中心に、左側Ｘ１に突出するように設けられている。筒部５１は、ベース３０の軸体３１に挿入されている。これにより、内外周歯車５０は、ベース３０に対して、左右方向Ｘの軸回りに回転可能に支持される。
【００２０】
歯車部５２は、本体の縁部全周から左側Ｘ１に突出するように設けられた円筒状の部分である。歯車部５２の内周面の全周には、内歯車５２ａが設けられ、また、歯車部５２の外周面の全周には、外歯車５２ｂが設けられている。
内歯車５２ａは、ホイール４１ｂに噛み合う歯車である。外歯車５２ｂは、単位表示部６０のローラ歯車７３ｄに噛み合っている。
基準突起５３は、歯車部５２に設けられている。基準突起５３は、基準状態（後述する）を検出するための突起である。
【００２１】
図２に示すように、８つの単位表示部６０は、リール部２０の回転軸２０ｃを中心とする円の円周に沿った方向に、等間隔、等角度で配列されている。つまり、８つの単位表示部６０は、リール部２０の回転軸２０ｃを中心とする円環部分（範囲Ａ２０参照）に配列されている。
【００２２】
図５に示すように、各単位表示部６０は、ベース６１、ベルト部６５、ローラ部７１，７２，７３、照明部７５を備える。
ベース６１は、単位表示部６０の基礎となる板状の部材である。ベース６１は、左円盤２１に固定されている。なお、図５（Ｂ）等には、ベース６１の図示は省略するが、ベース６１を左右方向Ｘから見た外形は、リール部２０の軌道と同様な形状である。
単位表示部６０は、主要な部品をベース６１に組み付けることにより、アッセンブリにできる。このため、単位表示部６０のリール部２０への取り付け作業は、容易である。
【００２３】
ベルト部６５は、１枚の帯状の半透明なフィルム等の両端を接続したものである。
ベルト部６５の縁部には、送り孔６５ａが配列されている。
ベルト部６５の外面は、１つの基準図柄６５Ｃ、２つのイベント図柄６５Ｕ，６５Ｄを備える（図５（Ｃ）参照）。
基準図柄６５Ｃは、通常遊技時の抽選に表示される。
２つのイベント図柄６５Ｕ，６５Ｄは、基準図柄６５Ｃの両隣に配置されている。イベント図柄６５Ｕ，６５Ｄは、イベント時（例えば、抽選確率が通常遊技時よりも高く設定された遊技等）に表示される。
ベルト部６５の図柄は、各単位表示部６０のそれぞれに、個別に用意されている。このため、各単位表示部６０のベルト部６５の図柄は、他の単位表示部６０のベルト部６５の図柄とは異なっている。
【００２４】
ローラ部７１，７２，７３は、ベルト部６５が巻き掛けられることにより、ベルト部６５が回転する軌道を規定する。左右方向Ｘから見ると、軌道の形状は、ほぼ二等辺三角形である。
図２に示すように、左右方向Ｘから見ると、２つのローラ部７１，７２は、リール部２０の外周側であって、二等辺三角形の底辺の両端の頂点に対応する位置に配置されている。２つのローラ部７１，７２間の間隔は、１つの図柄とほぼ同じ長さである。
ローラ部７３は、ローラ部７１，７２よりもリール部２０の中心側であって、二等辺三角形の頂点（２つの等辺が共有する頂点）の位置に配置されている。
ローラ部７１，７２間の軌道（軌道の一部）は、リール部２０の回転軸２０ｃを中心とする円の円周に沿った方向に配置される。より正確には、８つの単位表示部６０が等角度で配置されるので、ローラ部７１，７２間の軌道は、リール部２０の回転軸２０ｃを中心とする正八角形の一辺上に配置される。
ベルト部６５の図柄のうち、ローラ部７１，７２間に位置するものが、開口１１ａ（図２参照）から観察できる。以下、軌道のうちローラ部７１，７２間の部分を、「表示軌道部分６６」ともいう。
【００２５】
図５に示すように、２つのローラ部７１，７２は、同一の形状である。
ローラ部７１は、回転軸７１ａ、ローラ７１ｂ、送り突起７１ｃを備える。
回転軸７１ａは、左右方向Ｘに平行に配置されている。回転軸７１ａの左端は、ベース６１に固定され、ローラ部７１の右端は、右円盤２２に固定される。これにより、回転軸７１ａ及びベース６１は、２つの円盤２１，２２を一体に連結する。
【００２６】
ローラ７１ｂは、回転軸７１ａの両端にそれぞれ設けられ、回転軸７１ａ回りに回転可能である。
送り突起７１ｃは、ローラ７１ｂの外周の全周に設けられている。送り突起７１ｃは、ベルト部６５の回転時に、ベルト部６５の送り孔６５ａに入り込む。これにより、ベルト部６５は、左右方向Ｘの位置ずれ等が抑制され、正確に軌道上を回転できる。なお、実施形態では、無限軌道状のベルト等を軌道に沿って回るような動作を、回転ともいう。
ローラ部７２の詳細な説明は、省略する。実施形態及び図面において、ローラ部７２の構成のうちローラ部７１と同様の機能を果たす部分には、末尾に同一の符号を付す。
【００２７】
ローラ部７３は、回転軸７３ａ、ローラ７３ｂ、送り突起７３ｃ、ローラ歯車７３ｄを備える。
回転軸７３ａ、ローラ７３ｂ、送り突起７３ｃは、ローラ部７１の回転軸７１ａ、ローラ７１ｂ、送り突起７１ｃと同様な形状である。
但し、ローラ７３ｂ、ローラ歯車７３ｄは、円筒状の一体構造である（図３、図４参照）。ローラ歯車７３ｄは、内外周歯車５０の外歯車５２ｂと噛み合っている。このため、ローラ歯車７３ｄが回転することにより、ローラ７３ｂが回転する。
これによって、両端の送り突起７３ｃが一体で回転し、ベルト部６５が軌道に沿って回転する。
【００２８】
図５に示すように、照明部７５は、反射板７５ａ、光源７５ｂを備える。
反射板７５ａは、ローラ部７１，７２に掛け渡されるように固定されている。反射板７５ａは、例えば、表面がマット加工された白板である。反射板７５ａは、表示軌道部分６６よりも内側の領域に、表示軌道部分６６に平行に配置される。
光源７５ｂは、ＬＥＤ等の発光素子である。光源７５ｂは、ベース６１の内面と、右円盤２２の内面とに、反射板７５ａよりも左右外側の位置にそれぞれ複数配置されている。光源７５ｂは、反射板７５ａの表面を照光する。
光源７５ｂからの光は、反射板７５ａの表面で乱反射し、また、反射板７５ａの表面を均一の明るさになるように照らす。このため、表示軌道部分６６に配置された図柄は、均一に明るく観察できる。
なお、照明部７５は、反射板７５ａの代わりに、光拡散板、導光板を用いてもよい。
【００２９】
ここで、単位表示部６０の外形は、三角柱である。また、単位表示部６０の表示軌道部分６６におけるベルト部６５の送り方向は、リール部２０の回転軸２０ｃを中心とする円の円周に沿った方向（つまり接線方向）である。また、三角柱の中心軸は、リール部２０の回転軸２０ｃに平行である。そのため、隣合う単位表示部６０は、干渉することなく、円環部分（図２示す範囲Ａ２０参照）に配置できる。
【００３０】
実施形態とは異なり、単位表示部６０の表示軌道部分６６におけるベルト部６５の送り方向を左右方向Ｘとした形態では、三角柱の中心軸の方向は、回転軸２０ｃを中心とする円の円周に沿った方向となる。この形態では、隣合う単位表示部６０は、干渉してしまう。
このように、実施形態では、表示軌道部分６６のベルト部６５の送り方向を円周に沿った方向にすることにより、リール部２０内の円環部分のスペースをうまく利用して、８つの単位表示部６０を配置できる。
【００３１】
また、ベルト駆動部の一部（つまり、ウォームギア４１、内外周歯車５０等）は、ベルト部６５の軌道の外側であってリール部２０の中心側に向けた領域（図２に示す範囲Ａ２１参照）を有効利用して配置できる。
実施形態とは異なりベルト部６５の軌道に囲まれた領域（図２に示す範囲Ａ２２参照）に歯車等を配置しようとしても、この範囲は、狭いので、歯車等の配置が困難である。
【００３２】
図２、図３に示すように、基準位置検出部８０は、基準突起５３によって、オン、オフされるリミットスイッチである。なお、基準位置検出部８０は、リミットスイッチに限定されず、光学センサ等でもよい。
基準位置検出部８０がオンとなる状態（図２、図３に示す状態）が、内外周歯車５０の基準位置であり、また、駆動力伝達部の基準状態である。
基準状態では、８つのベルト部６５が基準図柄６５Ｃを表示するように、各歯車が噛み合っている。
【００３３】
記憶部８１は、表示装置１０の動作に必要なプログラム、情報等を記憶するためのハードディスク、半導体メモリ素子等の記憶装置である。
制御部８２は、表示装置１０の動作に必要な演算処理をしたり、表示装置１０を統括的に制御するための装置である。制御部８２は、例えば、ＣＰＵ（中央処理装置）等から構成される。制御部８２は、記憶部８１に記憶された各種プログラムを適宜読み出して実行することにより、実施形態の各種機能を実現している。
なお、実施形態では、１組の制御部８２、記憶部８１が３つの表示装置１０を制御する例を説明するが、限定されない。制御部８２等は、表示装置１０を制御できる構成であればよく、例えば、遊技機１本体の制御部等（図示せず）が表示装置１０の制御部８２等を兼用してもよい。
【００３４】
（回転動作）
表示装置１０の各部の回転動作について説明する。
図６は、第１実施形態の主モータ１２の回転駆動にともなう動作を説明する図である。
図７は、第１実施形態のベルト駆動モータ４０の回転駆動にともなう動作を説明する図である。
（主モータ１２の回転駆動にともなう動作）
図２、図３、図６に示すように、主モータ１２が駆動した場合には、以下のように動作する。
（１）主モータ１２の回転軸１２ｃは、ベース３０に固定されている。このため、ベース３０が回転する。
（２）ベース３０の軸体３１は、右円盤２２に固定されている。右円盤２２及び左円盤２１は、単位表示部６０の回転軸７１ａ，７２ａ，７３ａで接続されているので、一体の構成である。このため、ベース３０、右円盤２２、左円盤２１、８つの単位表示部６０が一体で回転する。
（３）単位表示部６０のローラ歯車７３ｄと、ベルト駆動モータ４０との間には、ウォームギア４１が設けられている。ウォームギア４１のうちホイール４１ｂ側が内外周歯車５０側であり、また、ウォーム４１ａ側がベース３０側である。また、ウォームギア４１は、ウォーム４１ａが停止した状態では、ホイール４１ｂに外部から回転する力が加わっても、ホイール４１ｂが回転しない性質を有する。ウォームギア４１のこの性質によって、単位表示部６０のローラ歯車７３ｄ及びウォーム４１ａの間の歯車は、回転することはない。
このため、図６の矢印Ａに示すように、リール部２０が一体で回転する。また、ベルト部６５は、軌道に沿って回転することがない。
これにより、主モータ１２が回転駆動すると、各単位表示部６０のベルト部６５の表示図柄を維持した状態で、リール部２０が一体で回転する。
【００３５】
（ベルト駆動モータ４０の回転駆動にともなう動作）
図２、図３、図７に示すように、主モータ１２が停止状態において、ベルト駆動モータ４０が駆動した場合には、以下のように動作する。
ここでは、基準図柄６５Ｃからイベント図柄６５Ｕに切り替える例を説明する（図５（Ｃ）参照）。
（１）主モータ１２の回転軸１２ｃは、ベース３０に固定されている。また、上記（２）と同様に、ベース３０、右円盤２２、左円盤２１は、一体の構成である。このため、主モータ１２が駆動しない状態では、これらは、回転しない。また、８つの単位表示部６０は、その位置が維持される。
（２）ベルト駆動モータ４０が回転すると、ウォームギア４１が駆動し、内外周歯車５０が回転する（図７に示す矢印Ｂ１参照）。
（３）内外周歯車５０の外歯車５２ｂは、ローラ歯車７３ｄに噛み合っている。このため、ローラ歯車７３ｄが回転する（図７に示す矢印Ｂ２参照）。
【００３６】
これにより、ベルト駆動モータ４０が駆動すると、単位表示部６０がその位置を維持した状態で、ベルト部６５が軌道に沿って回転する（図７に示す矢印Ｂ３参照）。これにより、単位表示部６０の図柄の表示が、切り替わる。
【００３７】
なお、基準図柄６５Ｃからイベント図柄６５Ｄに切り替える場合には、ベルト駆動モータ４０を上記とは反対に回転させればよい。
また、内外周歯車５０の外歯車５２ｂは、８つの単位表示部６０のローラ歯車７３ｄに噛み合っている。
このため、ベルト駆動モータ４０が駆動すると、８つのベルト部６５が同時に回転し、８つの単位表示部６０の図柄の表示が同時に切り替わる。
【００３８】
このように、表示装置１０は、ベルト駆動モータ４０の駆動力を単位表示部６０に伝達する場合に、駆動力伝達部のうち、ウォームギア４１、内外周歯車５０（駆動力伝達部の一部）を兼用する。このため、表示装置１０は、駆動力伝達部の構成を簡単にでき、また、駆動力伝達部を小型、軽量に構成できる。
【００３９】
（電気ケーブル９０の配設）
図３を参照して、リール部２０の外部から、リール部２０内部への電気ケーブル９０の配設について説明する。電気ケーブル９０は、基準位置検出部８０の検出信号の通信や、ベルト駆動モータ４０への電力供給のためのものである。
電気ケーブル９０は、ベース３０のケーブル通し穴３２に挿通される。
ケーブル通し穴３２の一部は、軸体３１内部に中空状に設けられている。そして、その一端がベース３０の右面に開口し、また、その他端が軸体３１の右端近傍に開口する。
このように、ベース３０は、電気ケーブル９０を、軸体３１の内部を通すことにより、内外周歯車５０の左側Ｘ１の領域及び右側Ｘ２の領域の間に配設できる。また、ベース３０は、電気ケーブル９０及び内外周歯車５０が干渉しないように、内外周歯車５０を回転可能に支持できる。
【００４０】
電気ケーブル９０の一端は、基準位置検出部８０、ベルト駆動モータ４０に接続される。
電気ケーブル９０の他端は、右円盤２２に設けられた開口を通した後、スリップリング１５の回転側１５ａのコネクタ１５ｃに接続される。また、スリップリング１５の固定側１５ｂからは、外部と電気的に接続するためのコネクタ１５ｄが設けられている。
これにより、回転可能なリール部２０に設けられた基準位置検出部８０及びベルト駆動モータ４０と、リール部２０の外部とを、電気的に接続することができる。
【００４１】
（遊技態様）
表示装置１０を備える遊技機１の遊技態様の一例について説明する。
図８は、第１実施形態の表示例を示す図である。
図８は、遊技機１の窓部２、表示装置１０の開口１１ａが観察される図柄のみを図示した。
図８（Ａ）、図８（Ｂ）は、通常遊技時の表示例である。
図８（Ｃ）、図８（Ｄ）は、イベント時の表示を示す。
【００４２】
最初に、図２、図３を参照して、基準図柄６５Ｃの設定について説明する。
遊技機１の電源を入れられた場合等に、制御部８２は、ベルト駆動モータ４０を駆動する。これにより、内外周歯車５０が回転する。制御部８２は、内外周歯車５０の基準突起５３によって基準位置検出部８０がオンにされると、ベルト駆動モータ４０を停止させて、内外周歯車５０が停止させる。制御部８２は、この状態を基準状態として記憶する。
これにより、表示装置１０の２４個全ての単位表示部６０は、基準図柄６５Ｃを表示する。
図８（Ａ）には、開口１１ａから観察できる９つの単位表示部６０の基準図柄６５Ｃのみを表示するが、開口１１ａから視認できない単位表示部６０も基準図柄６５Ｃが表示軌道部分６６上に配置される。
【００４３】
通常遊技時の主モータ１２が駆動している状態で、遊技者がストップボタン（図示せず）を操作すると、制御部８２は、主モータ１２を停止する。
図８（Ｂ）は、ストップボタンが操作された場合の表示例である。
図８（Ｂ）の状態において、制御部８２は、イベントを発生させる場合には、主モータ１２を停止した状態で、ベルト駆動モータ４０を駆動する。なお、イベントを発生させるか否は、遊技の仕様等によって決められる。
【００４４】
制御部８２は、ベルト部６５を１図柄分だけ送り、イベント図柄６５Ｕ，６５Ｄを表示する。つまり、制御部８２は、基準状態からベルト部６５の１図柄分だけ送るように、パルス電力によってベルト駆動モータ４０を駆動する。
図８（Ｃ）は、ベルト部６５が図５（Ｃ）に示す下方向に送られることにより、イベント図柄６５Ｕが表示された例である。イベント図柄６５Ｕの場合には、図柄の色彩が鮮やかになる。制御部８２は、その後の遊技において、抽選確率を向上したイベントを開始する。
図８（Ｄ）は、ベルト部６５が図５（Ｃ）に示す上方向に送られることにより、イベント図柄６５Ｄが表示された例である。イベント図柄６５Ｄの場合には、９つの図柄が合わさって１つの図柄を形成するので、趣向を向上できる。
【００４５】
ここで、図８（Ｃ）、図８（Ｄ）の場合にも、窓部２、開口１１ａから視認できない単位表示部６０のイベント図柄６５Ｕ，６５Ｄが、表示軌道部分６６上に配置される。このため、イベント中には、ベルト部６５の制御は、必要ない。
また、制御部８２は、基準位置検出部８０がオンの状態（つまり、基準状態）から、ベルト部６５を１図柄分だけ送るように回転すればよいので、制御が簡単であり、また、正確に短時間で図柄を切替できる。
制御部８２は、イベント終了後には、基準位置検出部８０が再度オンになる状態まで、ベルト部６５を１図柄分だけ戻せばよい。
【００４６】
なお、実施形態とは異なり２図柄以上を連続して送る形態でもよい。この形態では、リール停止後に、複数の図柄に変化させることができる。但し、この形態では、ベルト部６５の移動量（回転量）が増える等の理由によって、制御が複雑になり、また、図柄の切替が長時間になる。
【００４７】
なお、上記遊技態様は、一例であり、これに限定されない。
例えば、制御部８２は、主モータ１２、ベルト駆動モータ４０を、同時に駆動してもよい。この形態では、リール部２０を回転させながら、単位表示部６０の図柄を変更できる。
また、３つの表示装置１０のベルト駆動モータ４０のうち１のみを駆動してもよい。この形態では、例えば、イベント図柄６５Ｕを当たり図柄にしておけば、リール停止後に、鉛直方向Ｚの図柄を揃えて、当たりにすることができる。
【００４８】
以上説明したように、本実施形態の表示装置１０は、単位表示部６０の図柄自体を切り替えることができる。このため、表示装置１０は、例えば、リール部２０の回転停止後であっても、図柄を変更できるので遊技の発展性を向上できる。また、遊技者を飽きさせることなく、遊技意欲を向上できる。
また、リール部２０は、８つの単位表示部６０等を、リール部２０内部のスペースを有効に利用して収容できる。このため、リール部２０は、表示機能が上記の通り向上しても、装置が極端に大型化することはない。
【００４９】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図９は、第２実施形態の表示装置２１０の断面図（図２に相当する図）である。
表示装置２１０は、単位表示部６０をそれぞれ駆動するためのモータ２４０、歯車２４１が独立して設けられている。
つまり、表示装置２１０は、８組のモータ２４０、歯車２４１の組み合わせを備える。
モータ２４０は、ベース３０に固定されている。歯車２４１は、モータ２４０の回転軸に固定され、単位表示部６０のローラ歯車７３ｄに噛み合っている。
【００５０】
制御部（図１に示す制御部８２参照）は、各モータ２４０を独立して駆動する。このため、制御部は、８つの単位表示部６０のベルト部６５を選択して駆動でき、８つの単位表示部６０を独立して表示を切り替えることができる。
これにより、本実施形態の表示装置２１０は、表示の切替の演出を、多彩にすることができ、遊技の面白さを向上できる。
【００５１】
（第３実施形態）
次に、本発明の第３実施形態について説明する。
図１０は、第３実施形態の表示装置３１０の断面図（図２に相当する図）である。
表示装置３１０は、単位表示部６０をそれぞれ駆動するためのアクチュエータ３４５、歯車３４６が独立して設けられている。
つまり、表示装置３１０は、８組のアクチュエータ３４５、歯車３４６の組み合わせを備える。
アクチュエータ３４５は、ベースの一部を径方向外側に突出させた突出部３３５に固定されている。アクチュエータ３４５は、例えば、ソレノイドアクチュエータであり、ロッドの突出量を、長状態及び短状態の間で変更できる。
【００５２】
歯車３４６は、ロッドの先端に回転可能に支持されている。
アクチュエータ３４５が長状態では、歯車３４６は、内外周歯車５０の外歯車５２ｂと、単位表示部６０のローラ歯車７３ｄに噛み合う。このため、内外周歯車５０の回転は、単位表示部６０のローラ歯車７３ｄに伝達される。図１０の例では、手前側Ｙ１に配置された３つの単位表示部６０のアクチュエータ３４５が長状態である。このため、これらの単位表示部６０のベルト部６５による表示が切替えられる。
一方、アクチュエータ３４５が短状態では、歯車３４６は、内外周歯車５０の外歯車５２ｂと、単位表示部６０のローラ歯車７３ｄとから退避する。このため、内外周歯車５０の回転は、単位表示部６０のローラ歯車７３ｄに伝達されることはない。図１０の例では、奥側Ｙ２に配置された５つの単位表示部６０のアクチュエータ３４５が短状態である。このため、これらの単位表示部６０のベルト部６５による表示が切替えられることはない。
なお、アクチュエータ３４５が短状態にあるときに、単位表示部６０のローラ部７３が勝手に回転しないように、アクチュエータ３４５の動作と連動した回転抑止機構（図示せず）を設けることが好ましい。
【００５３】
本実施形態の制御部（図１に示す制御部８２参照）は、８つのアクチュエータ３４５を独立して駆動する。このため、本実施形態は、第２実施形態と同様に、８つの単位表示部６０を選択して表示を切り替えることができるので、演出を多彩にすることができ、遊技の面白さを向上できる。
【００５４】
（第４実施形態）
次に、本発明の第４実施形態について説明する。
図１１は、第４実施形態の表示装置４１０を示す図である。
図１１（Ａ）は、表示装置４１０の軸受部近傍を拡大した断面図である。
図１１（Ｂ）は、図１１（Ａ）のＢ−Ｂ断面図である。
図１１（Ｃ）は、図１１（Ｂ）をさらに拡大した断面図である。
本実施形態の表示装置４１０は、ケース４１１及びベース４３０自体にスリップリングの機能を設けたものである。なお、図１１は、ローラ等の軸受構造は省略した。
【００５５】
ケース４１１は、軸部４１１ｂ、接点基板４１１ｃを備える。
軸部４１１ｂは、円柱状の軸体である。軸部４１１ｂは、Ｄカット状に加工されている。
接点基板４１１ｃは、カーボンブラシ等の複数の電気接点４１１ｄが設けられた電気基板である。接点基板４１１ｃは、軸部４１１ｂのカット部に固定されている。
【００５６】
ベース４３０は、円筒部４３１を備える。円筒部４３１は、ケース４１１の軸部４１１ｂに挿入されている。これにより、ベース４３０は、ケース４１１に対して回転可能に支持される。
円筒部４３１の内部には、電気ケーブル４９０に対して電気的に接続された導線４９１が設けられている。導線４９１の終端には、導電性を有する複数の金属環４９２（集電環ともいう）が設けられている。
各金属環４９２は、各電気接点４１１ｄに電気的に接続した状態を維持しながら、ベース４３０と一体で回転する。
【００５７】
以上説明したように、本実施形態の表示装置４１０は、スリップリングのような個別の部品を必要とすることなく、回転するリール部４２０とケース４１１との間を電気的に接続することができる。
【００５８】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５９】
（変形形態）
（１）実施形態において、ベルト部は、３つの図柄を備える例を示したが、これに限定されない。ベルト部は、２つ又は４つ以上の図柄を備えていてもよい。
【００６０】
（２）実施形態において、ローラ部が送り突起を備える例を示したが、これに限定されない。ローラ部は、送り突起を備えず、ベルト部との摩擦によって、ベルト部を送ってもよい。
また、３つのローラ部のうちローラ歯車を有するローラ部のみが、送り突起を備えていてもよい。この形態では、実施形態と同様に、ベルト部を、送り方向に位置ずれすることなく、正確に送ることができる。
【符号の説明】
【００６１】
１…遊技機    １０，２１０，３１０，４１０…表示装置    １２…主モータ    １２ｃ…回転軸    ２０，２２０，３２０，４２０…リール部    ２０ｃ…回転軸    ２１…左円盤    ２２…右円盤    ３０，４３０…ベース    ４０…ベルト駆動モータ    ４１…ウォームギア    ４１ａ…ウォーム    ４１ｂ…ホイール    ５０…内外周歯車    ５２ａ…内歯車    ５２ｂ…外歯車    ６５…ベルト部    ６５Ｃ…基準図柄    ６５Ｄ，６５Ｕ…イベント図柄    ６６…表示軌道部分    ７１，７２，７３…ローラ部    ７３ｄ…ローラ歯車    ２４０…モータ    ２４１…歯車    ３４５…アクチュエータ    ３４６…歯車
【図１】
0006530943.tif 000002
【図２】
0006530943.tif 000003
【図３】
0006530943.tif 000004
【図４】
0006530943.tif 000005
【図５】
0006530943.tif 000006
【図６】
0006530943.tif 000007
【図７】
0006530943.tif 000008
【図８】
0006530943.tif 000009
【図９】
0006530943.tif 000010
【図１０】
0006530943.tif 000011
【図１１】
0006530943.tif 000012